(57)【要約】【課題】電子カルテシステムにおける同一患者の複数の施設に存在する電子カルテデータの混在表示を行う電子カルテサーバ、複数施設記録表示方法、及び複数施設記録表示プログラムを提供する。【解決手段】カルテデータを蓄積する電子カルテデータ記憶手段と、クライアントの設置場所定義が蓄積されているクライアント設置場所定義記憶手段と、複数施設間での同一患者の定義が蓄積されている複数施設データ結合定義記憶手段と、電子カルテ業務を動作させるカルテ処理手段とを有し、自施設の患者番号を指定するだけで、その対象患者のすべての履歴が同一画面で同時に時系列順に確認することができるため、複数の施設に存在するカルテ情報の参照操作を簡便にすることができる。【選択図】図１
2007304661.tif 000002
【特許請求の範囲】
【請求項１】
施設を識別する施設情報及び該施設において患者を識別する患者情報と紐付けて電子カルテデータを蓄積する電子カルテデータ記憶手段と、前記施設情報と該施設情報に対応する施設における患者の前記患者情報とを患者ごとに紐付けて蓄積する複数施設データ結合定義記憶手段と、前記電子カルテデータを収集・提供するカルテ処理手段とを有する電子カルテサーバにおいて、
前記カルテ処理手段は、
前記クライアント端末から前記電子カルテデータが必要な患者の前記患者情報を取得し、
前記患者情報及び前記クライアント端末が設置された施設の前記施設情報に基づいて前記電子カルテデータを前記電子カルテデータ記憶手段から収集し、
前記複数施設データ結合定義記憶手段から他の施設における該患者の前記患者情報と該施設の前記施設情報とを取得し、
他の施設における前記患者情報及び前記施設情報に基づいて前記電子カルテデータ記憶手段から前記電子カルテデータを収集し、
収集した全ての前記電子カルテデータを前記クライアント端末に提供することを特徴とする電子カルテサーバ。
【請求項２】
クライアント名称と前記施設情報とを紐付ける定義が蓄積されているクライアント設置場所定義記憶手段を有し、
前記カルテ処理手段は、
前記電子カルテデータの発行を要求しているクライアントの前記クライアント名称に基づいて前記施設情報を前記クライアント設置場所定義記憶手段から検出し、
前記施設情報に対応する施設の前記クライアント端末に前記患者情報の入力を要求することを特徴とする請求項１記載の電子カルテサーバ。
【請求項３】
前記カルテ処理手段は、
前記クライアント端末から前記クライアントを識別するクライアント識別情報の入力を受け付けて前記クライアント識別情報の認証を行い、
認証に成功したとき、前記クライアント識別情報に含まれる前記クライアント名称に基づく前記施設情報の検出を実行することを特徴とする請求項２記載の電子カルテサーバ。
【請求項４】
前記カルテ処理手段は、収集した前記電子カルテデータを時系列に並べて前記クライアント端末に提供することを特徴とする請求項１から３のいずれか１項記載の電子カルテサーバ。
【請求項５】
施設を識別する施設情報及び該施設において患者を識別する患者情報と紐付けて電子カルテデータを蓄積する電子カルテデータ記憶手段と、前記施設情報と該施設情報に対応する施設における患者の前記患者情報とを患者ごとに紐付けて蓄積する複数施設データ結合定義記憶手段と、前記電子カルテデータを収集・提供するカルテ処理手段とを有する電子カルテサーバの複数施設記録表示方法において、
前記カルテ処理手段は、
前記クライアント端末から前記電子カルテデータが必要な患者の前記患者情報を取得する工程と、
前記患者情報及び前記クライアント端末が設置された施設の前記施設情報に基づいて前記電子カルテデータを前記電子カルテデータ記憶手段から収集する工程と、
前記複数施設データ結合定義記憶手段から他の施設における該患者の前記患者情報と該施設の前記施設情報とを取得する工程と、
他の施設における前記患者情報及び前記施設情報に基づいて前記電子カルテデータ記憶手段から前記電子カルテデータを収集する工程と、
収集した全ての前記電子カルテデータを前記クライアント端末に提供する工程とを有することを特徴とする複数施設記録表示方法。
【請求項６】
前記電子カルテサーバは、クライアント名称と前記施設情報とを紐付ける定義が蓄積されているクライアント設置場所定義記憶手段を有し、
前記カルテ処理手段は、
前記電子カルテデータの発行を要求しているクライアントの前記クライアント名称に基づいて前記施設情報を前記クライアント設置場所定義記憶手段から検出する工程と、
前記施設情報に対応する施設の前記クライアント端末に前記患者情報の入力を要求する工程とを有することを特徴とする請求項５記載の複数施設記録表示方法。
【請求項７】
前記カルテ処理手段は、
前記クライアント端末から前記クライアントを識別するクライアント識別情報の入力を受け付けて前記クライアント識別情報の認証を行う工程と、
認証に成功したとき、前記クライアント識別情報に含まれる前記クライアント名称に基づく前記施設情報の検出を実行する工程とを有することを特徴とする請求項６記載の複数施設記録表示方法。
【請求項８】
前記カルテ処理手段は、収集した前記電子カルテデータを時系列に並べて前記クライアント端末に提供する工程を有することを特徴とする請求項５から７のいずれか１項記載の複数施設記録表示方法。
【請求項９】
施設を識別する施設情報及び該施設において患者を識別する患者情報と紐付けて電子カルテデータを蓄積する電子カルテデータ記憶手段と、前記施設情報と該施設情報に対応する施設における患者の前記患者情報とを患者ごとに紐付けて蓄積する複数施設データ結合定義記憶手段と、前記電子カルテデータを収集・提供するカルテ処理手段とを有する電子カルテサーバの複数施設記録表示プログラムにおいて、
前記カルテ処理手段は、
前記クライアント端末から前記電子カルテデータが必要な患者の前記患者情報を取得する処理と、
前記患者情報及び前記クライアント端末が設置された施設の前記施設情報に基づいて前記電子カルテデータを前記電子カルテデータ記憶手段から収集する処理と、
前記複数施設データ結合定義記憶手段から他の施設における該患者の前記患者情報と該施設の前記施設情報とを取得する処理と、
他の施設における前記患者情報及び前記施設情報に基づいて前記電子カルテデータ記憶手段から前記電子カルテデータを収集する処理と、
収集した全ての前記電子カルテデータを前記クライアント端末に提供する処理とを有することを特徴とする複数施設記録表示プログラム。
【請求項１０】
前記電子カルテサーバは、クライアント名称と前記施設情報とを紐付ける定義が蓄積されているクライアント設置場所定義記憶手段を有し、
前記カルテ処理手段は、
前記電子カルテデータの発行を要求しているクライアントの前記クライアント名称に基づいて前記施設情報を前記クライアント設置場所定義記憶手段から検出する処理と、
前記施設情報に対応する施設の前記クライアント端末に前記患者情報の入力を要求する処理とを有することを特徴とする請求項９記載の複数施設記録表示プログラム。
【請求項１１】
前記カルテ処理手段は、
前記クライアント端末から前記クライアントを識別するクライアント識別情報の入力を受け付けて前記クライアント識別情報の認証を行う処理と、
認証に成功したとき、前記クライアント識別情報に含まれる前記クライアント名称に基づく前記施設情報の検出を実行する処理とを有することを特徴とする請求項１０記載の複数施設記録表示プログラム。
【請求項１２】
前記カルテ処理手段は、収集した前記電子カルテデータを時系列に並べて前記クライアント端末に提供する処理を有することを特徴とする請求項９から１１のいずれか１項記載の複数施設記録表示プログラム。
【発明の詳細な説明】
【技術分野】
【０００１】
本発明は、電子カルテサーバ、複数施設記録表示方法、及び複数施設記録表示プログラムに関し、特に、電子カルテシステムにおける同一患者の複数の施設に存在する電子カルテデータの混在表示を行う電子カルテサーバ、複数施設記録表示方法、及び複数施設記録表示プログラムに関する。
【背景技術】
【０００２】
近年、ネットワークシステムの普及が進み、様々な分野において利用されるようになっている。例えば、医療・福祉分野においては、複数施設ごとに管理される電子カルテをネットワークシステムを利用して一元管理する技術が提案されている。
【０００３】
特許文献１では、地域医療・福祉に関する地域医療・福祉共有データベースを記憶するデータ記憶手段を備えたデータベースサーバと、医療情報等を提供するための医療ポータルサイトシステムアプリケーションを記憶する記憶手段を備えたアプリケーションサービスサーバとが地域医療支援センターに設置され、電子カルテを作成・登録するための電子カルテ作成・登録手段及び電子レセプトを作成・伝送するための電子レセプト作成・伝送手段を含むネットワーク型電子カルテシステムアプリケーションを記憶する記憶手段を備えた第１のコンピュータが、ネットワーク型電子カルテシステムを構成すべく特定機能病院、地域医療支援病院、開放型病院、かかりつけ医に夫々選択的に設置され、電子レセプトを作成・伝送するための電子レセプト作成・伝送手段を含み、かつ、介護支援を行うためのネットワーク型介護支援システムアプリケーションを記憶する記憶手段を備えた第２のコンピュータが、ネットワーク型介護支援システムを構成すべく入所施設、訪問看護ステーションに夫々選択的に設置され、リハビリ実施結果・進捗情報を入力・登録するためのリハビリ実施結果・進捗情報入力・登録手段を含み、且つ、リハビリテーションを総合的に支援するリハビリテーション総合支援システムアプリケーションを記憶する記憶手段を備えた第３のコンピュータが、リハビリテーション総合支援システムを構成すべく通所・入所施設、訪問介護ステーションに夫々選択的に設置され、検診結果入力・登録手段を含み、住民検診を行うための住民検診システムアプリケーション及び生活習慣病を支援する生活習慣病支援システムアプリケーションを記憶する記憶手段を備えた第４のコンピュータが、住民検診システム及び生活習慣病支援システムを構成すべく市町村保健センターに設置され、へき地医療を支援するためのへき地医療支援システムアプリケーションを記憶する記憶手段を備えた第５のコンピュータが、へき地医療支援システムを構成すべくへき地医療拠点病院、へき地診療所、へき地歯科診療所に夫々選択的に設置され、医療・福祉行政を支援するための医療・福祉行政支援システムアプリケーションを記憶する記憶手段を備えた第６のコンピュータがへき地医療支援システムを構成すべく公的機関に設置され、前記２つのサーバ及び第１〜６のコンピュータは夫々通信手段を備え、インターネットを介して相互にネットワーク接続されると共に、該第１〜６のコンピュータは夫々ｗｅｂページ表示手段を備えているので、前記第１〜６のコンピュータは夫々該第１〜６のコンピュータが備える記憶手段に記憶される前記システムアプリケーションを読み取り実行し、前記電子カルテ作成・登録手段、電子レセプト作成・伝送手段、リハビリ実行結果・進捗情報入力・登録手段及び検診結果入力・登録手段を読み取り実行した第１〜４のコンピュータによって作成されたデータは該第１〜４のコンピュータの通信手段、インターネット及び前記データベースサーバの通信手段を介して該データベースサーバに送られ、該データベースサーバに備えられた書き込み手段によってデータ記憶手段内の前記地域医療・福祉共有データベースに書き込まれ、又、前記第１〜６のコンピュータの各々からのアクセスによって、該地域医療・福祉共有データベースのデータは、前記データベースサーバの読み取り手段によって読み取られ、該データベースサーバの通信手段、インターネット及び該第１〜６のコンピュータの通信手段を介して該第１〜６のコンピュータに送信され、更に、前記医療ポータルサイトアプリケーションを読み取り実行した前記アプリケーションサービスサーバにより作成された医療ポータルサイトのｗｅｂページデータは、前記ｗｅｂページ表示手段を読み取り、ｗｅｂページを表示する前記第１〜６のコンピュータからのアクセスによって、該アプリケーションサービスサーバの通信手段、インターネット及び該第１〜６のコンピュータの通信手段を介して該第１〜６のコンピュータに送信されて該第１〜６のコンピュータにｗｅｂページとして表示され、該ｗｅｂページによって医療情報の検索及び閲覧が可能となり、これにより前記電子カルテ作成・登録手段、電子レセプト作成・伝送手段、リハビリ実施結果・進捗情報の入力・登録手段及び検診結果入力・登録手段によって作成されたデータは前記地域医療・福祉共有データベースに書き込まれ、データの共有化が可能になると共に、地域医療・福祉共有データベースのデータをネットワーク内で閲覧自在であり、且つ、前記医療ポータルサイトのｗｅｂページによって医療情報の検索及び閲覧が可能となり、へき地を含む地域全体の医療及び福祉を総合的に支援することができる地域医療・福祉連携ネットワークシステムが提案されている。
【特許文献１】特開２００５−２５０８０７号公報
【発明の開示】
【発明が解決しようとする課題】
【０００４】
しかし、上記の発明は以下の問題を有している。
【０００５】
従来のシステムでは、複数の施設に存在する同一患者カルテの表示を行う場合、それぞれの施設のサーバに接続を行い、それぞれの施設のカルテ情報を別々に表示させており、混在表示を行うことができない。また、対象となっている患者の患者番号等が施設ごとに異なる場合があり、同一患者であるということを判断することが困難であった。
【０００６】
本発明は、電子カルテデータを蓄積する電子カルテデータ記憶手段と、複数施設間での同一患者を紐付ける定義が蓄積されている複数施設データ結合定義記憶手段と、電子カルテデータを収集・提供するカルテ処理手段とを有する電子カルテサーバ、電子カルテサーバの複数施設記録表示方法、及び電子カルテサーバの複数施設記録表示プログラムにおいて、カルテ処理手段は、クライアント端末から電子カルテデータが必要な患者を識別する患者情報を取得し、患者情報及びクライアント端末の設置場所に基づいて電子カルテデータを電子カルテデータ記憶手段から収集し、患者情報及び設置場所と紐付けて蓄積される他の施設における同一の患者の患者情報及び設置場所を複数施設データ結合定義記憶手段から取得し、他の施設の患者情報及び設置場所に基づいて電子カルテデータを電子カルテデータ記憶手段から収集し、収集した全ての電子カルテデータをクライアント端末に提供する電子カルテサーバ、複数施設記録表示方法、及び複数施設記録表示プログラムを提供することを目的としている。
【課題を解決するための手段】
【０００７】
請求項１記載の発明は、施設を識別する施設情報及び該施設において患者を識別する患者情報と紐付けて電子カルテデータを蓄積する電子カルテデータ記憶手段と、前記施設情報と該施設情報に対応する施設における患者の前記患者情報とを患者ごとに紐付けて蓄積する複数施設データ結合定義記憶手段と、前記電子カルテデータを収集・提供するカルテ処理手段とを有する電子カルテサーバにおいて、前記カルテ処理手段は、前記クライアント端末から前記電子カルテデータが必要な患者の前記患者情報を取得し、前記患者情報及び前記クライアント端末が設置された施設の前記施設情報に基づいて前記電子カルテデータを前記電子カルテデータ記憶手段から収集し、前記複数施設データ結合定義記憶手段から他の施設における該患者の前記患者情報と該施設の前記施設情報とを取得し、他の施設における前記患者情報及び前記施設情報に基づいて前記電子カルテデータ記憶手段から前記電子カルテデータを収集し、収集した全ての前記電子カルテデータを前記クライアント端末に提供することを特徴とする。
【０００８】
請求項２記載の発明は、請求項１記載の電子カルテサーバにおいて、クライアント名称と前記施設情報とを紐付ける定義が蓄積されているクライアント設置場所定義記憶手段を有し、前記カルテ処理手段は、前記電子カルテデータの発行を要求しているクライアントの前記クライアント名称に基づいて前記施設情報を前記クライアント設置場所定義記憶手段から検出し、前記施設情報に対応する施設の前記クライアント端末に前記患者情報の入力を要求することを特徴とする。
【０００９】
請求項３記載の発明は、請求項２記載の電子カルテサーバにおいて、前記カルテ処理手段は、前記クライアント端末から前記クライアントを識別するクライアント識別情報の入力を受け付けて前記クライアント識別情報の認証を行い、認証に成功したとき、前記クライアント識別情報に含まれる前記クライアント名称に基づく前記施設情報の検出を実行することを特徴とする。
【００１０】
請求項４記載の発明は、請求項１から３のいずれか１項記載の電子カルテサーバにおいて、前記カルテ処理手段は、収集した前記電子カルテデータを時系列に並べて前記クライアント端末に提供することを特徴とする。
【００１１】
請求項５記載の発明は、施設を識別する施設情報及び該施設において患者を識別する患者情報と紐付けて電子カルテデータを蓄積する電子カルテデータ記憶手段と、前記施設情報と該施設情報に対応する施設における患者の前記患者情報とを患者ごとに紐付けて蓄積する複数施設データ結合定義記憶手段と、前記電子カルテデータを収集・提供するカルテ処理手段とを有する電子カルテサーバの複数施設記録表示方法において、前記カルテ処理手段は、前記クライアント端末から前記電子カルテデータが必要な患者の前記患者情報を取得する工程と、前記患者情報及び前記クライアント端末が設置された施設の前記施設情報に基づいて前記電子カルテデータを前記電子カルテデータ記憶手段から収集する工程と、前記複数施設データ結合定義記憶手段から他の施設における該患者の前記患者情報と該施設の前記施設情報とを取得する工程と、他の施設における前記患者情報及び前記施設情報に基づいて前記電子カルテデータ記憶手段から前記電子カルテデータを収集する工程と、収集した全ての前記電子カルテデータを前記クライアント端末に提供する工程とを有することを特徴とする。
【００１２】
請求項６記載の発明は、請求項５記載の複数施設記録表示方法において、前記電子カルテサーバは、クライアント名称と前記施設情報とを紐付ける定義が蓄積されているクライアント設置場所定義記憶手段を有し、前記カルテ処理手段は、前記電子カルテデータの発行を要求しているクライアントの前記クライアント名称に基づいて前記施設情報を前記クライアント設置場所定義記憶手段から検出する工程と、前記施設情報に対応する施設の前記クライアント端末に前記患者情報の入力を要求する工程とを有することを特徴とする。
【００１３】
請求項７記載の発明は、請求項６記載の複数施設記録表示方法において、前記カルテ処理手段は、前記クライアント端末から前記クライアントを識別するクライアント識別情報の入力を受け付けて前記クライアント識別情報の認証を行う工程と、認証に成功したとき、前記クライアント識別情報に含まれる前記クライアント名称に基づく前記施設情報の検出を実行する工程とを有することを特徴とする。
【００１４】
請求項８記載の発明は、請求項５から７のいずれか１項記載の複数施設記録表示方法において、前記カルテ処理手段は、収集した前記電子カルテデータを時系列に並べて前記クライアント端末に提供する工程を有することを特徴とする。
【００１５】
請求項９記載の発明は、施設を識別する施設情報及び該施設において患者を識別する患者情報と紐付けて電子カルテデータを蓄積する電子カルテデータ記憶手段と、前記施設情報と該施設情報に対応する施設における患者の前記患者情報とを患者ごとに紐付けて蓄積する複数施設データ結合定義記憶手段と、前記電子カルテデータを収集・提供するカルテ処理手段とを有する電子カルテサーバの複数施設記録表示プログラムにおいて、前記カルテ処理手段は、前記クライアント端末から前記電子カルテデータが必要な患者の前記患者情報を取得する処理と、前記患者情報及び前記クライアント端末が設置された施設の前記施設情報に基づいて前記電子カルテデータを前記電子カルテデータ記憶手段から収集する処理と、前記複数施設データ結合定義記憶手段から他の施設における該患者の前記患者情報と該施設の前記施設情報とを取得する処理と、他の施設における前記患者情報及び前記施設情報に基づいて前記電子カルテデータ記憶手段から前記電子カルテデータを収集する処理と、収集した全ての前記電子カルテデータを前記クライアント端末に提供する処理とを有することを特徴とする。
【００１６】
請求項１０記載の発明は、請求項９記載の複数施設記録表示プログラムにおいて、前記電子カルテサーバは、クライアント名称と前記施設情報とを紐付ける定義が蓄積されているクライアント設置場所定義記憶手段を有し、前記カルテ処理手段は、前記電子カルテデータの発行を要求しているクライアントの前記クライアント名称に基づいて前記施設情報を前記クライアント設置場所定義記憶手段から検出する処理と、前記施設情報に対応する施設の前記クライアント端末に前記患者情報の入力を要求する処理とを有することを特徴とする。
【００１７】
請求項１１記載の発明は、請求項１０記載の複数施設記録表示プログラムにおいて、前記カルテ処理手段は、前記クライアント端末から前記クライアントを識別するクライアント識別情報の入力を受け付けて前記クライアント識別情報の認証を行う処理と、認証に成功したとき、前記クライアント識別情報に含まれる前記クライアント名称に基づく前記施設情報の検出を実行する処理とを有することを特徴とする。
【００１８】
請求項１２記載の発明は、請求項９から１１のいずれか１項記載の複数施設記録表示プログラムにおいて、前記カルテ処理手段は、収集した前記電子カルテデータを時系列に並べて前記クライアント端末に提供する処理を有することを特徴とする。
【発明の効果】
【００１９】
本発明は、電子カルテデータを蓄積する電子カルテデータ記憶手段と、複数施設間での同一患者を紐付ける定義が蓄積されている複数施設データ結合定義記憶手段と、電子カルテデータを収集・提供するカルテ処理手段とを有する電子カルテサーバ、電子カルテサーバの複数施設記録表示方法、及び電子カルテサーバの複数施設記録表示プログラムにおいて、カルテ処理手段は、クライアント端末から電子カルテデータが必要な患者を識別する患者情報を取得し、患者情報及びクライアント端末の設置場所に基づいて電子カルテデータを電子カルテデータ記憶手段から収集し、患者情報及び設置場所と紐付けて蓄積される他の施設における同一の患者の患者情報及び設置場所を複数施設データ結合定義記憶手段から取得し、他の施設の患者情報及び設置場所に基づいて電子カルテデータを電子カルテデータ記憶手段から収集し、収集した全ての電子カルテデータをクライアント端末に提供することにより、自施設の患者番号を指定するだけで、その対象患者のすべての履歴が同一画面で同時に時系列順に確認することができるため、複数の施設に存在するカルテ情報の参照操作を簡便にすることができる。
【発明を実施するための最良の形態】
【００２０】
以下、本発明の一実施形態に係る複数施設記録表示システムの構成及び動作について説明する。
【００２１】
まず、本実施形態に係る複数施設記録表示システムの構成について図１を用いて説明する。
【００２２】
本実施形態に係る複数施設記録表示システムは、電子カルテサーバ１００、インターネット１１０、及びｗｅｂクライアント端末１２０を有して構成される。電子カルテサーバ１００とｗｅｂクライアント端末１２０とはインターネット１１０を介して接続されている。
【００２３】
電子カルテサーバ１００は、カルテデータを蓄積する電子カルテデータ記憶手段１０１、クライアントの名称（以下、クライアント名称とする）とｗｅｂクライアント端末１２０が設置された施設とを紐付ける設置場所定義が蓄積されているクライアント設置場所定義記憶手段１０３、複数の施設で別個に登録された同一患者を紐付ける定義が蓄積されている複数施設データ結合定義記憶手段１０２、及び電子カルテ業務を動作させるカルテ処理手段１０４を有して構成される。電子カルテデータ記憶手段１０１には、図３に示すように患者の電子カルテデータが施設を識別するコード（以下、施設コードとする）及び該施設における患者番号と紐付けて蓄積されている。なお、電子カルテデータ記憶手段１０１は、電子カルテデータに付された患者番号や施設コードに関らず、電子カルテデータが蓄積された日時に基づいて時系列に電子カルテデータを蓄積する。
【００２４】
電子カルテサーバ１００は、ｗｅｂクライアント端末１２０からログイン要求を受信し、クライアント名称に基づいてクライアント設置場所定義記憶手段１０３からｗｅｂクライアント端末１２０が設置された施設を検索する機能と、ｗｅｂクライアント端末１２０から電子カルテデータの発行要求を受信し、発行要求と共に受信した該ｗｅｂクライアント端末１２０が設置された施設において患者を識別する患者番号及び該施設の施設コードに基づいて、該施設のみならず他の施設における該患者の電子カルテデータを電子カルテデータ記憶手段１０１から検索する機能とを有する。
【００２５】
ｗｅｂクライアント端末１２０は、電子カルテデータの表示、編集、作成を行うための電子カルテ画面１２１、及びログイン要求、電子カルテデータの発行要求を電子カルテサーバ１００に発行するためのカルテ伝送手段１２２を有して構成される。
【００２６】
次に、本実施形態に係る複数施設記録表示システムの具体的な動作について図２を用いて説明する。
【００２７】
まず、操作者は、自身のログインＩＤ及びパスワードをｗｅｂクライアント端末１２０に入力して複数施設記録表示システムにログインする（ステップＳ２０１）。複数施設記録表示システムにログインされると、ログイン要求が電子カルテサーバ１００に発行される（ステップＳ２０２）。
【００２８】
電子カルテサーバ１００は、ｗｅｂクライアント端末１２０からのログイン要求と共に送信されてきた、クライアント名称、ログインＩＤ、パスワード等の操作者情報を元に認証処理を行う（ステップＳ２０３）。操作者情報の認証に成功すると、クライアント名称に対応するｗｅｂクライアント端末１２０の設置場所（施設）をクライアント設置場所定義記憶手段１０３から検索し、ログイン要求を発行したｗｅｂクライアント端末１２０の設置場所を検出する（ステップＳ２０４）。
【００２９】
クライアント設置場所定義記憶手段１０３には、ｗｅｂクライアント端末１２０のクライアント名称と、該ｗｅｂクライアント端末１２０が設置されている施設の施設コードとが紐付けて格納されている。クライアント設置場所定義記憶手段１０３に記憶されるこれらの情報は、ｗｅｂクライアント端末１２０からのログイン要求とともに入力されるクライアント名称に基づいて施設コードを検出するために定義されているものである。この情報についても、利用者が必要に応じてメンテナンス作業を行うことができる。よって、クライアント名称に対応付けて格納されている施設コードの検索によって該当する施設が検出されると、電子カルテサーバ１００は、ｗｅｂクライアント端末１２０に対して職員画面の表示を要求する（ステップＳ２０５）。
【００３０】
ｗｅｂクライアント端末１２０は、カルテ伝送手段１２２において電子カルテサーバ１００から職員画面の表示要求を受け付け、電子カルテ画面１２１に職員画面を表示する（ステップＳ２０６）。電子カルテ画面１２１に職員画面が表示されると、ユーザは職員画面の中から、患者番号の入力や選択等により電子カルテを要する患者を選択する（ステップＳ２０７）。そして、ｗｅｂクライアント端末１２０は、選択された患者を識別する患者番号等をカルテ伝送手段１２２によって電子カルテサーバ１００に通知して、電子カルテデータ等、患者に係る情報の発行を要求する（ステップＳ２０８）。電子カルテサーバ１００は、ｗｅｂクライアント端末１２０から患者に係る情報の発行要求を受けると、カルテ処理手段１０４に患者番号等、患者を識別する情報を入力する（ステップＳ２０９）。カルテ処理手段１０４は、入力された患者番号等と電子カルテデータの発行要求を発信したｗｅｂクライアント端末１２０が設置された施設の施設コードと紐付けて蓄積されている対象患者のカルテデータを電子カルテデータ記憶手段１０１より検索する（ステップＳ２１０）。
【００３１】
次に、カルテ処理手段１０４は、ステップＳ２０９において入力された患者番号等及び電子カルテデータの発行要求を発信したｗｅｂクライアント端末１２０が設置された施設の施設コードと紐付けられた他施設の施設コード及び患者番号を複数施設データ結合定義記憶手段１０２から検索する（ステップＳ２１１）。
【００３２】
複数施設データ結合定義記憶手段１０２には、図４に示すように、ｗｅｂクライアント端末１２０が設置されている施設の施設コードと該施設における対象患者の患者番号とが紐付けて患者ごとに格納されている。なお、図４において５桁の数字が各施設における患者の患者番号であり、（）内の４桁の数字が該施設の施設コードである。複数施設データ結合定義記憶手段１０２に記憶されているこれらの情報は、ｗｅｂクライアント端末１２０より入力された自施設の施設コード及び自施設の患者番号をもとに、他施設の施設コードと他施設の患者番号を検出するために定義されているものである。カルテ処理手段１０４は、これらの情報をもとに複数施設に存在する同一患者のカルテデータを電子カルテデータ記憶手段１０１から検索する。なお、この複数施設データ結合定義記憶手段１０２は、施設間の利用者による修正・追加が可能であり、必要に応じてメンテナンスを行うことができる。
【００３３】
複数施設データ結合定義記憶手段から対象患者の他施設の施設コード及び該他施設における患者番号とが検出されると、カルテ処理部１０４は検出された施設コード及び患者番号に基づいて、電子カルテデータ記憶手段１０１に記憶された全ての電子カルテデータを検出する（ステップＳ２１２）。
【００３４】
次に、ステップＳ２１０及びステップＳ２１２において検出した自施設、及び他施設の電子カルテデータの全てを収集し、時系列に並べ替える（ステップＳ２１３）。そして、この結果をｗｅｂクライアント端末１２０に返送する（ステップＳ２２１４）。ｗｅｂクライアント端末１２０は、カルテ伝送手段１２２によって、送信さされた情報受信し、電子カルテ画面１２１に渡す。（ステップ２１５）。この時点で、複数施設データのすべてが画面上に時系列で表示されることになる。システムの利用終了時には、ｗｅｂクライアント端末１２０は、電子カルテサーバ１００に電子カルテのログオフを要求し、全ての処理が終了する（ステップ２１６）。
【００３５】
上記の構成によれば、自施設の患者番号を指定するだけで、その対象患者のすべての履歴が同一画面で同時に時系列順に確認することができるため、複数の施設に存在するカルテ情報の参照操作が簡便になることである。
【図面の簡単な説明】
【００３６】
【図１】本実施形態に係る複数施設記録表示システムの構成を示すブロック図である。
【図２】本実施形態に係る複数施設記録表示システムの動作を示すシーケンス図である。
【図３】電子カルテデータ記憶手段１０１の構成を示す図である。
【図４】複数施設データ結合定義記憶手段１０２の構成を示す図である。
【符号の説明】
【００３７】
１００    電子カルテサーバ
１０１    電子カルテデータ記憶手段
１０２    複数施設データ結合定義記憶手段
１０３    クライアント設置場所定義記憶手段
１０４    カルテ処理手段
１１０    インターネット
１２０    ｗｅｂクライアント端末
１２１    電子カルテ画面
１２２    カルテ伝送手段
【図１】
2007304661.tif 000003
【図２】
2007304661.tif 000004
【図３】
2007304661.tif 000005
【図４】
2007304661.tif 000006